(57)【要約】      （修正有）【課題】定着装置の交換を簡単にすることができる。【解決手段】定着装置本体と、この定着装置本体に設けられ、画像形成装置本体に装着前の輸送位置と、画像形成装置本体に装着時の装着位置の少なくとも２つ以上の位置に移動可能である把持部とを有する。【選択図】図４
2010224093.tif 000002
【特許請求の範囲】
【請求項１】
定着装置本体と、
この定着装置本体に設けられ、画像形成装置本体に装着前の輸送位置と、画像形成装置本体に装着時の装着位置の少なくとも２つ以上の位置に移動可能である把持部と、
を有する定着装置。
【請求項２】
加熱部材と、
この加熱部材に対向する加圧部材と、
前記加熱部材と前記加圧部材とを接触する方向に付勢する付勢手段と、をさらに有し、
前記把持部は、輸送位置では前記加熱部材と前記加圧部材との接触を解除し、装着位置では前記加熱部材と前記加圧部材とを接触させる
請求項１記載の定着装置。
【請求項３】
前記把持部は、画像形成装置本体に装着していない状態においては輸送位置に固定される請求項１又は２記載の定着装置。
【請求項４】
前記把持部とは別に、前記加熱部材と前記加圧部材との接触を解除させる圧接解除部材を有する請求項１乃至３いずれか記載の定着装置。
【請求項５】
前記把持部は、輸送位置では装置を構成する高温部を覆い、装着位置では前記高温部は露出される請求項１乃至４いずれか記載の定着装置。
【請求項６】
前記加熱部材と前記加圧部材の入口を覆う開閉部をさらに有し、前記把持部が、輸送位置では前記開閉部は前記入口を覆い、装着位置では前記入口が露出される請求項１乃至５いずれか記載の定着装置。
【請求項７】
画像形成装置本体と、
この画像形成装置本体に着脱自在に装着された定着装置と、を有し、
前記定着装置は、定着装置本体と、この定着装置本体に設けられ、画像形成装置本体に装着前の輸送位置と、画像形成装置本体に装着時の装着位置の少なくとも２つ以上の位置に移動可能である把持部と、を有する画像形成装置。
【発明の詳細な説明】
【技術分野】
【０００１】
本発明は、定着装置及び画像形成装置に関する。
【背景技術】
【０００２】
画像形成装置の定着装置として、互いに圧接された一対の回転体を有する熱圧力定着方式のものは周知である。
近年、定着装置のＣＲＵ（Ｃｕｓｔｏｍｅｒ  Ｒｅｐｌａｃｅ  Ｕｎｉｔ）化により定着装置の交換をエンドユーザーが行う場合が増えてきた。この交換において新しい定着装置を装置本体に挿入する際に、圧接解除されている定着ロールを圧接させた状態で装置本体に装着する。また、定着装置ではトナーを加熱して溶融するため、特に金属部は高温になる。
【０００３】
特許文献１は、画像形成装置１の側面に回動操作自在のシート搬送ユニット１４を備え、シート搬送ユニット１４には定着ユニット１６を着脱自在に配置し、着脱時は定着ユニット１６の把手部１８を操作して行い、把手部１８にシート搬送ユニット１４に対して定着ユニット１６の固定と解除ができる固定機構２２を備える構成を開示する。
【先行技術文献】
【特許文献】
【０００４】
【特許文献１】特開２００６−１７１２１８号公報
【発明の概要】
【発明が解決しようとする課題】
【０００５】
本発明の目的は、定着装置の交換を簡単にすることができる定着装置及び画像形成装置を提供することにある。
【課題を解決するための手段】
【０００６】
上記目的を達成するために、請求項１に係る本発明は、定着装置本体と、この定着装置本体に設けられ、画像形成装置本体に装着前の輸送位置と、画像形成装置本体に装着時の装着位置の少なくとも２つ以上の位置に移動可能である把持部と、を有する定着装置である。
【０００７】
請求項２に係る本発明は、加熱部材と、この加熱部材に対向する加圧部材と、前記加熱部材と前記加圧部材とを接触する方向に付勢する付勢手段と、をさらに有し、前記把持部は、輸送位置では前記加熱部材と前記加圧部材との接触を解除し、装着位置では前記加熱部材と前記加圧部材とを接触させる請求項１記載の定着装置である。
【０００８】
請求項３に係る本発明は、前記把持部は、画像形成装置本体に装着していない状態においては輸送位置に固定される請求項１又は２記載の定着装置である。
【０００９】
請求項４に係る本発明は、前記把持部とは別に、前記加熱部材と前記加圧部材との接触を解除させる圧接解除部材を有する請求項１乃至３いずれか記載の定着装置である。
【００１０】
請求項５に係る本発明は、前記把持部は、輸送位置では装置を構成する高温部を覆い、装着位置では前記高温部は露出される請求項１乃至４いずれか記載の定着装置である。
【００１１】
請求項６に係る本発明は、前記加熱部材と前記加圧部材の入口を覆う開閉部をさらに有し、前記把持部が、輸送位置では前記開閉部は前記入口を覆い、装着位置では前記入口が露出される請求項１乃至５いずれか記載の定着装置である。
【００１２】
請求項７に係る本発明は、画像形成装置本体と、この画像形成装置本体に着脱自在に装着された定着装置と、を有し、前記定着装置は、定着装置本体と、この定着装置本体に設けられ、画像形成装置本体に装着前の輸送位置と、画像形成装置本体に装着時の装着位置の少なくとも２つ以上の位置に移動可能である把持部と、を有する画像形成装置である。
【発明の効果】
【００１３】
請求項１に係る本発明によれば、本構成を有していない場合に比較して、定着装置の交換を簡単にすることができる定着装置を提供することができる。
【００１４】
請求項２に係る本発明によれば、請求項１に係る本発明の効果に加えて、本構成を有していない場合に比較して、加熱部材と加圧部材との圧接操作を簡単にすることができる。
【００１５】
請求項３に係る本発明によれば、請求項１又は２に係る本発明の効果に加えて、本構成を有していない場合に比較して、定着装置を輸送時において、加熱部材と加圧部材が接触してしまうのを防止することができる。
【００１６】
請求項４に係る本発明によれば、請求項１乃至３いずれかに係る本発明の効果に加えて、本構成を有していない場合に比較して、画像形成装置に定着装置を装着した状態で加熱部材と加圧部材との圧接操作を簡単にすることができる。
【００１７】
請求項５に係る本発明によれば、請求項１乃至４いずれかに係る本発明の効果に加えて、本構成を有していない場合に比較して、使用者の高温部への接触を防止できる。
【００１８】
請求項６に係る本発明によれば、請求項１乃至５いずれかに係る本発明の効果に加えて、本構成を有していない場合に比較して、使用者の接触や異物混入による破損を防止できる。
【００１９】
請求項７に係る本発明によれば、本構成を有していない場合に比較して、定着装置の交換を簡単にすることができる画像形成装置を提供することができる。
【図面の簡単な説明】
【００２０】
【図１】本発明の実施形態に係る画像形成装置の側面からみた断面図である。
【図２】本発明の実施形態に係る定着装置の側面断面図である。
【図３】本発明の実施形態に係る定着装置の側面図であり、（ａ）は把持部が輸送位置にある場合、（ｂ）は把持部が装着位置にある場合の構成を示す。
【図４】本発明の実施形態に係る定着装置の把持部が輸送位置にある場合の斜視図を示し、（ａ）は上方からみた図、（ｂ）は下方からみた図を示す。
【図５】本発明の実施形態に係る定着装置の把持部が装着位置にある場合の斜視図を示し、（ａ）は上方からみた図、（ｂ）は下方からみた図を示す。
【発明を実施するための形態】
【００２１】
次に本発明の実施形態を図面に基づいて説明する。
図１は、本発明の実施形態に係る画像形成装置１０の側面からみた断面図である。
画像形成装置１０は、画像形成装置本体１２を有し、この画像形成装置本体１２内に像形成手段１４が搭載され、この画像形成装置本体１２の上部に排出部１６が設けられていると共に、この画像形成装置本体１２の下部にシート１７を供給するためのシート供給装置１８が設けられている。
【００２２】
排出部１６は、画像形成装置本体１２に対して回動自在の傾斜部２０を有する。この傾斜部２０は、排出口部分が低く、前面方面（図１の右方向）に向けて徐々に高くなるよう傾斜しており、排出出口部分を下端とし、高くなった先端を上端としている。この傾斜部２０は下端を中心に回動自在であるよう画像形成装置本体１２に支持されている。傾斜部２０を上方に回転して開くことで、後述するプロセスカートリッジ２４が脱着できるようにしてある。
【００２３】
像形成手段１４は、例えば電子写真方式のもので、感光体からなる像担持体２６とこの像担持体２６を一様帯電する例えば帯電ロールからなる帯電装置２８と、この帯電装置２８により帯電された像担持体２６に、光により潜像を書き込む光書込み装置３０と、この光書込み装置３０により形成された像担持体２６の潜像を現像剤により可視化する現像装置３２と、この現像装置３２による現像剤像をシート１７に転写する例えば転写ロールからなる転写装置３４と、像担持体２６に残存する現像剤をクリーニングする例えばブレードからなるクリーニング装置３６と、転写装置３４により転写されたシート１７上の現像剤像をシート１７に定着させる例えば加圧ロールと加熱ロールとからなる定着装置３８とから構成されている。光書込み装置３０は、例えば走査型のレーザ露光装置からなり、シート供給装置１８のシートカセット４０と平行で画像形成装置本体１２の前面（図１の右側面）近傍に配置され、現像装置３２内を横切って像担持体２６を露光する。また、現像装置３２は、像担持体２６と対向する現像ロール４２を有する。
【００２４】
プロセスカートリッジ２４は、像担持体２６、帯電装置２８、現像装置３２及びクリーニング装置３６を一体化したものである。このプロセスカートリッジ２４は、排出部１６の傾斜部２０の直近下方に配置されており、前述したように、傾斜部２０を開くことで脱着される。
【００２５】
また、画像形成装置本体１２には、例えばレジストロール４４およびプレレジストロール４５が転写装置３４の上流側（図１の下方側）に配置されている。シート供給装置１８からシート搬送路４６に搬送されたシート１７は、このプレレジストロール４５を介し、レジストロール４４により一時停止され、所定のタイミングで像形成手段１４に送られて像が形成され、排出ロール４８により排出部１６へ排出される。
【００２６】
シート供給装置１８には、複数のシート１７が収容されたシートカセット４０が設けられている。シートカセット４０は、画像形成装置本体１２に対して摺動自在に装着され、正面方向（図１の右方向）に引き出される。このシートカセット４０の前端上方付近には、シート供給部５２が設けられている。このシート供給部５２は、ピックアップロール５４と、このピックアップロール５４から供給されたシート１７を分離供給するフィードロール５６とリタードロール５８とを有する。このフィードロール５６は、画像形成装置本体１２に回転自在に支持されており、リタードロール５８はフィードロール５６と対向するように配置されている。
【００２７】
また、画像形成装置本体１２には、定着装置３８を引き出すための開閉カバー５０が設けられている。この開閉カバー５０は、画像形成装置本体１２の後面方向（図１の左方向）に向けて開閉される。
【００２８】
なお、画像形成装置本体１２には制御手段としての制御部６２が設けられている。
【００２９】
図２乃至図６において、定着装置３８の構成が示されている。
定着装置３８は、ユニット化され、ユニット本体６６を有しており、このユニット本体６６は、第１の筐体６８と第２の筐体７０とが組合されて構成されている。第１の筐体６８には、内部に加熱ヒータ９８が収容された加熱ロール７４が回転自在に支持され、第２の筐体７０には、加圧ロール７６が回転自在に支持されている。加圧ロール７６が加熱ロール７４に接触されることにより、ニップ部８０が形成される。このニップ部８０を挟んで上下方向には、前述したシート搬送路４６が構成され、用紙が下から上へ搬送される。ニップ部８０の上流側には、例えば板状の金属からなるインレットシュート（搬送ガイド）８８が、ニップ部８０の下流側には出口側シュート９０ａ，９０ｂがそれぞれ配置されている。出口側シュート９０ａ，９０ｂは、第１の筐体６８側と第２の筐体７０側とに設けられており、第２の筐体７０側の出口側シュート９０ａが上方に回動することにより用紙を通過させるようになっている。
【００３０】
第１の筐体６８と第２の筐体７０とは、本体支点７２を介して連結され、加圧ロール７６がコイルバネ等からなる付勢手段である２つの加圧用弾性体７８，７８によって加熱ロール７４に接触されることにより、ニップ部８０が形成される。加圧用弾性体７８，７８のそれぞれは、一端が回転カム８２，８２に支承され、他端が第１の筐体６８に引掛けられている。回転カム８２、８２は、ブラケット８４、８４の一端に接続された接触解除部材９２，９２に回転自在に支持され、回転することで加圧用弾性体７８、７８を伸縮させる。ブラケット８４、８４の他端は、支点８６、８６に支承されている。
【００３１】
ユニット本体６６の上面の両端には、軸方向と略垂直にレール部６６ａ、６６ａが設けられ、把持部９０，９０がレール部６６ａ、６６ａを移動するように設けられている。把持部９０は、把手部９０ａと把手部９０ａを案内する案内部９０ｂから構成されている。
把手部９０ａは、凹部形状であり、把手部９０ａを掴むことで持ち運びしやすいように形成されている。
また、案内部９０ｂは、案内部９０ｂの上面端部に形成された把手部９０ａをレール部６６ａを介して輸送位置である第１の筐体６８側から装着位置である第２の筐体７０側へ移動させる。
また、把持部９０は、定着装置３８を画像形成装置本体１２に装着前においては輸送位置にあり、定着装置３８を画像形成装置本体１２に装着時においては装着位置にある。
すなわち、把持部９０、９０は輸送位置と装着位置の間を移動しうる。なお、本発明の実施形態において、把持部９０，９０は、輸送位置と装着位置の間を移動可能であるとしたが、これに限定されず、少なくとも２つ以上の位置に移動である。
【００３２】
把持部９０、９０が輸送位置にあるときには、図３（ａ）に示すように、本体支点７２、７２を支点として第１の筐体６８によって支持されている加熱ロール７４と第２の筐体７０によって支持されている加圧ロール７６の接触は解除される。
【００３３】
また把持部９０、９０が輸送位置にあるとき（図３（ａ）及び図４（ａ）参照）には、図４（ｂ）に示すように、開閉部９４が加熱ロール７４と加圧ロール７６の間のシート搬送路４６となる入口を覆う。これにより、入口へのユーザーの接触や入口からの異物混入による破損を防止しうる。また、高温となる金属製の高温部である例えば加圧用弾性体７８，７８や回転カム８２、８２は、把持部９０，９０に覆われる。これにより、使用者の高温部への接触を防止しうる。また、定着装置３８を画像形成装置本体１２に装着していない状態においては把持部９０は、輸送位置に固定される。これにより、定着装置を持ち運びしている際に、加熱ロール７４と加圧部材７６とが接触してしまうのを防止しうる。
【００３４】
把持部９０、９０が装着位置にあるときには、図３（ｂ）に示すように、把手部９０ａが、レール部６６ａを介して、第２の筐体７０側へ移動することで、加圧弾性体７８の付勢力により第１の筐体６８によって支持されている加熱ロール７４は、第２の筐体７０によって支持されている加圧ロール７６側に本体支点７２を支点として、移動し、接触されてニップ部８０が形成される。
【００３５】
また、把持部９０、９０が装着位置にあるとき（図３（ｂ）及び図５（ａ）参照）には、図５（ｂ）に示すように、開閉部９４は開き、加熱ロール７４と加圧ロール７６の間のシート搬送路４６となる入口は開放される。また、高温となる金属製の加圧用弾性体７８，７８及び回転カム８２，８２は、開放される。
【００３６】
また、把持部９０、９０とは別に、圧接解除部材９２、９２を有することで、加熱ロール７４と加圧ロール７６との接触を解除することができるので、定着装置３８で紙詰まりが発生した等の場合に、画像形成装置本体１２に定着装置３８を装着した状態で加熱ロール７４と加圧ロール７６の接触を解除し、紙詰まり等の解消後に加熱ロール７４と加圧ロール７６とを圧接しうる。
【００３７】
以上、本発明の実施形態について画像形成装置の一例としてプリンタを例示したが、これに限定されず、複写機、ＦＡＸ，あるいはこれら複数の機能を備えた複合機等に適用可能である。
【符号の説明】
【００３８】
１０    画像形成装置
１２    画像形成装置本体
３８    定着装置
５０    開閉カバー
６６    ユニット本体
６６ａ  レール部
６８    第１の筐体
７０    第２の筐体
７４    加熱ロール
７６    加圧ロール
７８    加圧用弾性体
９０    把持部
９０ａ  把手部
９０ｂ  案内部
９２    圧接解除部材
９４    開閉部
【図１】
2010224093.tif 000003
【図２】
2010224093.tif 000004
【図３】
2010224093.tif 000005
【図４】
2010224093.tif 000006
【図５】
2010224093.tif 000007